(57)【特許請求の範囲】
【請求項１】
対向する前面板及び背面板を有して上面に開口部を開口する筒状の胴部と、前記胴部の底面を塞ぐ底面部と、前記背面板の上端から折曲して前記開口部を開閉する蓋部とを備えた包装箱において、
前記前面板の上端から内面側に折曲されるフラップを設けるとともに、前記蓋部が、前記背面板の上端に連設される上面部と、前記上面部の前端から下方に折曲される前面部と、前記前面部の下端から後方に折曲される下面部と、前記下面部の後端から折曲して前記背面板に接着される背面部と、前記前面部から前方に突出して前記フラップの下方に配される突起部とを有し、
前記フラップの下端面が段差により高さの異なる複数の係止部を形成され、各前記係止部に対応して複数の前記突起部を前記前面部と前記下面部との境界の折り線上に設け、
最下端の前記係止部が前記フラップの左右方向の中央部に配されることを特徴とする包装箱。
【請求項２】
対向する前面板及び背面板を有して上面に開口部を開口する筒状の胴部と、前記胴部の底面を塞ぐ底面部と、前記背面板の上端から折曲して前記開口部を開閉する蓋部とを備えた包装箱において、
前記前面板の上端から内面側に折曲されるフラップを設けるとともに、前記蓋部が、前記背面板の上端に連設される上面部と、前記上面部の前端から下方に折曲される前面部と、前記前面部の下端から後方に折曲される下面部と、前記下面部の後端から折曲して前記背面板に接着される背面部と、前記前面部から前方に突出して前記フラップの下方に配される突起部とを有し、
前記フラップの下端面が段差により高さの異なる複数の係止部を形成され、各前記係止部に対応して複数の前記突起部を前記前面部と前記下面部との境界の折り線上に設け、
前記前面板の上端部に凹部を形成するとともに前記フラップが前記凹部の底辺から折曲され、左右方向の一端部の前記係止部と前記凹部の底辺との距離が前記凹部の深さ以下であることを特徴とする包装箱。
【請求項３】
前記蓋部の両側端面が開放されることを特徴とする請求項１または請求項２に記載の包装箱。
【請求項４】
前記上面部の奥行よりも前記下面部の奥行が小さいことを特徴とする請求項１〜請求項３のいずれかに記載の包装箱。
【発明の詳細な説明】
【技術分野】
【０００１】
本発明は、蓋部により開閉される包装箱に関する。
【背景技術】
【０００２】
従来の包装箱は特許文献１に開示される。この包装箱は胴部と底面部と蓋部とを備えている。胴部は対向する前面板と背面板との間を対向する一対の側面板により連結し、上面及び底面に開口部を開口した筒状に形成される。胴部の底面の開口部は底面部により塞がれる。蓋部は背面板の上端から折曲して胴部に被嵌され、胴部の上面の開口部を開閉する。
【０００３】
前面板には上端から外面側に折り返された複数の梯形フラップが設けられる。蓋部は背面板の上端に連設される上面部の前端から下方に折曲した前面部を有し、前面部の背面にはフラップが貼着される。フラップにより梯形フラップが嵌まり込む複数の切欠き部が形成される。
【０００４】
蓋部を閉じると、フラップ上を摺動する梯形フラップが切欠き部に嵌まり込む際に前面部の背面を叩いてクリック音が生じる。これにより、ユーザは蓋部を閉じたことを確認できる。
【先行技術文献】
【特許文献】
【０００５】
【特許文献１】特開２０１１−２５１７４８号公報
【発明の概要】
【発明が解決しようとする課題】
【０００６】
しかしながら、上記従来の包装箱によると、蓋部を閉じる際にフラップ上を摺動する梯形フラップの弾性力によって蓋部の前面部及び胴部の前面板が互いに離れる方向に湾曲する。このため、梯形フラップが切欠き部に嵌まり込む際に前面部と梯形フラップの先端との距離が大きく、クリック音が小さくなる。このため、使用者がクリック音を確認できない場合が生じ、包装箱の利便性が低下するという問題があった。
【０００７】
本発明は、利便性を向上できる包装箱を提供することを目的とする。
【課題を解決するための手段】
【０００８】
上記目的を達成するために本発明は、対向する前面板及び背面板を有して上面に開口部を開口する筒状の胴部と、前記胴部の底面を塞ぐ底面部と、前記背面板の上端から折曲して前記開口部を開閉する蓋部とを備えた包装箱において、前記前面板の上端から内面側に折曲されるフラップを設けるとともに、前記蓋部が、前記背面板の上端に連設される上面部と、前記上面部の前端から下方に折曲される前面部と、前記前面部の下端から後方に折曲される下面部と、前記下面部の後端から折曲して前記背面板に接着される背面部と、前記前面部から前方に突出して前記フラップの下方に配される突起部とを有することを特徴とする。
【０００９】
また本発明は、上記構成の包装箱において、前記フラップの下端面が段差により高さの異なる複数の係止部を形成され、各前記係止部に対応して複数の前記突起部を前記前面部と前記下面部との境界の折り線上に設けたことを特徴とする。
【００１０】
また本発明は、上記構成の包装箱において、最下端の前記係止部が前記フラップの左右方向の中央部に配されることを特徴とする。
【００１１】
また本発明は、上記構成の包装箱において、前記前面板の上端部に凹部を形成するとともに前記フラップが前記凹部の底辺から折曲され、左右方向の一端部の前記係止部と前記凹部の底辺との距離が前記凹部の深さ以下であることを特徴とする。
【００１２】
また本発明は、上記構成の包装箱において、前前記蓋部の両側端面が開放されることを特徴とする。
【００１３】
また本発明は、上記構成の包装箱において、前記上面部の奥行よりも前記下面部の奥行が小さいことを特徴とする。
【発明の効果】
【００１４】
本発明によると、蓋部が背面板の上端から順に上面部、前面部、下面部及び背面部を連設し、背面部を背面板に接着した筒状に形成される。蓋部の前面部に設けた突起部は胴部の前面板の上端から折曲されたフラップの下方に配される。これにより、蓋部を閉じる際にフラップに摺動する突起部がフラップを超えると、フラップが蓋部の前面部を叩いてクリック音が生じる。この時、蓋部が筒状に形成されるので、閉じる時に前面部の後退が防止される。従って、蓋部を閉じた際のクリック音を大きくすることができ、包装箱の利便性を向上できる。
【図面の簡単な説明】
【００１５】
【図１】本発明の第１実施形態の包装箱を示す斜視図
【図２】本発明の第１実施形態の包装箱を示す斜視図
【図３】本発明の第１実施形態の包装箱を示す側面断面図
【図４】本発明の第１実施形態の包装箱のブランク板を示す展開図
【図５】本発明の第１実施形態の包装箱の内容物収納前の輸送形態を示す正面図
【図６】本発明の第２実施形態の包装箱のブランク板を示す展開図
【図７】本発明の第３実施形態の包装箱のブランク板を示す展開図
【発明を実施するための形態】
【００１６】
＜第１実施形態＞
以下に図面を参照して本発明の実施形態を説明する。図１及び図２は本発明の第１実施形態の包装箱１の斜視図を示している。図１は包装箱１の上面の蓋部７を閉じた状態を示し、図２は蓋部７を開いた状態を示している。
【００１７】
包装箱１はブランク板１００（図４参照）を略直方体形状に折曲して形成され、筒状の胴部１０、蓋部７及び底面部６を備えて内容物（不図示）を収納する。胴部１０は上面及び下面にそれぞれ開口部１０ａ、１０ｂを有した筒状に形成される。蓋部７は胴部１０の上面の開口部１０ａを開閉し、底面部６は胴部１０の下面の開口部１０ｂを塞ぐ。
【００１８】
胴部１０は対向する前面板３及び背面板５の両側端を一対の側面板２、４により連結して形成される。これにより、胴部１０は水平な断面が矩形に形成される。
【００１９】
前面板３の上端部には凹部３ａが設けられ、凹部３ａの上端には内面側に折曲されるフラップ１５が連設されている。フラップ１５の下端面は段差により高さの異なる複数の係止部１５ａ、１５ｂが形成されている。本実施形態では係止部１５ａが係止部１５ｂよりも上方に配される。
【００２０】
図３は包装箱１の側面断面図を示している。蓋部７は上面部７ａ、前面部７ｂ、下面部７ｃ、背面部７ｄを有している。上面部７ａは背面板５の上端に折り線９０（図４参照）を介して連設され、折り線９０上で前方に折曲される。前面部７ｂは上面部７ａの前端に折り線９０を介して連設され、折り線９０上で下方に折曲される。下面部７ｃは前面部７ｂの下端に折り線９０を介して連設され、折り線９０上で後方に折曲される。背面部７ｄは下面部７ｃの後端に折り線９０を介して連設され、折り線９０上で下方に折曲して背面板５に接着される。これにより、蓋部７は両側端面が開放された筒状に形成される。
【００２１】
前面部７ｂと下面部７ｃとの境界の折り線９０上には係止部１５ａ、１５ｂに対応して複数の突起部８ａ、８ｂが設けられている。突起部８ａ、８ｂは両端を折り線９０に連結したコ字状の切込みを前面部７ｂ上に設け、前面部７ｂに対して下面部７ｃを折曲することにより形成される。これにより、突起部８ａ、８ｂは下面部７ｃと同一面内に配される。尚、突起部８ａ、８ｂを前面部７ｂ上に設けた切り起しにより形成してもよい。
【００２２】
図４は包装箱１のブランク板１００の展開図を示している。ブランク板１００は例えば厚さ０．４ｍｍの紙製のシートを打ち抜いて形成され、折り線９０で折曲して包装箱１を形成する。下面部７ｃと背面部７ｄとの境界の折り線９０はリード罫９５により形成され、その他の折り線９０は折罫により形成される。
【００２３】
ブランク板１００の材質に特に限定はないが、例えばマニラボール、ボール紙、カード紙、クラフトボール等の板紙を用いることができる。また、樹脂シートによりブランク板１００を形成してもよい。樹脂シートとしては例えばＰＥＴ（ポリエチレンテレフタラート）やＰＰ（ポリプロピレン）から成る透明樹脂シートが好ましい。これにより、包装箱１に収納された内容物を容易に視認することができる。
【００２４】
側面板２、前面板３、側面板４及び背面板５は折り線９０を介して順に連設され、背面板５の一端には糊代片５５が折り線９０を介して連設される。前面板３及び背面板５の下端には折り線９０を介してそれぞれ底面板６３、６５が連設される。側面板２、４の下端には折り線９０を介してそれぞれ底面フラップ６２、６４が連設される。
【００２５】
前面板３の上端部には凹部３ａが形成され、凹部３ａの底辺から折り線９０を介してフラップ１５が連設される。背面板５の上端には蓋部７を形成する上面部７ａ、前面部７ｂ、下面部７ｃ及び背面部７ｄが折り線９０を介して順に連設される。
【００２６】
図４のブランク板１００において、側面板２、４をそれぞれ折り線９０で前面板３の内面側に向けて９０°折曲する。また、背面板５を側面板４の内面側に向けて折り線９０で９０°折曲するとともに、糊代片５５を背面板５の内面側に向けて折り線９０で９０°折曲する。そして、接着剤等により糊代片５５の外面を側面板２の後端部の内面に接着し、筒状の胴部１０が形成される。また、フラップ１５は前面板３の上端から折り線９０で内面側に約１８０゜折曲され、前面板３の内面に対向する。
【００２７】
次に、背面板５から上面部７ａを折り線９０で前方に９０°折曲し、前面部７ｂを折り線９０で下方に９０°折曲する。また、下面部７ｃを折り線９０で後方に９０°折曲し、背面部７ｄを折り線９０（リード罫９５）で下方に９０°折曲する。そして、接着剤等により背面部７ｄを背面板５の内面に接着し、筒状の蓋部７が形成される。
【００２８】
次に、側面板２、４から底面フラップ６２、６４をそれぞれ折り線９０で内面側に向けて９０°折曲する。また、底面板６５、底面板６３を順に折り線９０で内面側に向けて９０°折曲する。そして、接着剤等により底面板６５の外面を底面板６３の内面に接着し、胴部１０の下面を塞ぐ底面部６が形成される。底面板６５にはハーフカットのミシン目からなる接着剤保持部１６が複数設けられているため、接着剤を容易に浸透させて底面部６を容易に形成できる。
【００２９】
これにより、包装箱１が形成され、上方の開口部１０ａを介して胴部１０内に内容物が収納される。そして、蓋部７を閉じて包装箱１にラッピング等が施される。
【００３０】
包装箱１は蓋部７を開いて内容物の一部が取り出され、包装箱１内に内容物が残った状態で蓋部７が閉じられる。この時、突起部８ａ、８ｂがフラップ１５の反発力により背面板５の方向に付勢され、フラップ１５上を摺動する。突起部８ａが係止部１５ａを超えると、係止部１５ａが前面部７ｂを叩いて１回目のクリック音が発生する。また、突起部８ｂが係止部１５ｂを超えると、係止部１５ｂが前面部７ｂを叩いて２回目のクリック音が発生して蓋部７が係止される。これにより、蓋部７が閉じられたことをユーザが容易に確認することができる。
【００３１】
蓋部７は背面部７ｄを背面板５に接着した筒状に形成されるので、蓋部７を閉じる時にフラップ１５の付勢による前面部７ｂの後退を防止できるとともに、クリック音が筒状の蓋部７内を反響する。従って、蓋部７を閉じた際のクリック音を大きくすることができる。
【００３２】
次に、図５は内容物が収納される前の包装箱１の輸送形態を示す正面図である。内容物収納前の包装箱１は胴部１０及び蓋部７を形成し、底面部６が未形成でフラップ１５が未折曲の状態で輸送される。胴部１０は一方の側面板４と前面板３との間の折り線９０及び他方の側面板２と背面板５との間の折り線９０で扁平状態に折り畳まれる。蓋部７は背面板５と上面部７ａとが略同一面に配され、前面部７ｂと下面部７ｃとが略同一面に配された扁平状態に折り畳まれる。
【００３３】
この時、左右方向の一端部の係止部１５ａと凹部３ａの底辺との距離Ｄ１が凹部３ａの深さＤ２以下に形成される。これにより、包装箱１の輸送時に係止部１５ａが背面板５よりも突出せず、係止部１５ａの破損を防止することができる。
【００３４】
本実施形態によると、蓋部７が背面板５の上端から順に上面部７ａ、前面部７ｂ、下面部７ｃ及び背面部７ｄを連設し、背面部７ｄを背面板５に接着した筒状に形成される。蓋部７の前面部７ｂに設けた突起部８ａ、８ｂは胴部１０の前面板３の上端から折曲されたフラップ１５の下方に配される。これにより、蓋部７を閉じる際にフラップ１５に摺動する突起部８ａ、８ｂがフラップ１５を超えると、フラップ１５が蓋部７の前面部７ｂを叩いてクリック音が生じる。この時、蓋部７が筒状に形成されるので、閉じる時に前面部７ｂの後退が防止される。従って、蓋部７を閉じた際のクリック音を大きくすることができ、包装箱１の利便性を向上できる。
【００３５】
また、フラップ１５の下端面が段差により高さの異なる複数の係止部１５ａ、１５ｂを形成され、各係止部１５ａ、１５ｂに対応して複数の突起部８ａ、８ｂを前面部７ｂと下面部７ｃとの境界の折り線９０上に設けた。これにより、タイミングの異なる複数のクリック音を発生して蓋部７を閉じたことをより確実に認識できる。また、突起部８ａ、８ｂが下面部７ｃと同一面内に配されて折曲されないため、突起部８ａ、８ｂの強度を向上してクリック音を確実に発生させることができる。
【００３６】
また、フラップ１５が前面板３の上端部に設けた凹部３ａの底辺から折曲され、係止部１５ａと凹部３ａの底辺との距離Ｄ１が凹部３ａの深さＤ２以下である。このため、内容物収納前の包装箱１の輸送時に係止部１５ａの上端が背面板５からはみ出さないため、係止部１５ａの損傷を防止できる。
【００３７】
また、蓋部７の両側端面を閉じてもよいが、本実施形態のように蓋部７の両側端面を開放するとより望ましい。これにより、筒状の蓋部７内を反響するクリック音が両側端から放出され、より大きなクリック音を発生させることができる。
【００３８】
尚、本実施形態では上面部７ａの奥行と下面部７ｃの奥行とが略同じに形成される。上面部７ａの奥行よりも下面部７ｃの奥行を小さく形成してもよい。例えば、突起部８ａ、８ｂの突出方向の長さだけ下面部７ｃの奥行を上面部７ａの奥行よりも小さく形成すると、突起部８ａ、８ｂによる前面板３の膨らみが防止される。これにより、包装箱１の美観を向上することができる。
【００３９】
＜第２実施形態＞
図６は第２実施形態の包装箱１のブランク板１００を示す展開図である。説明の便宜上、前述の図１〜５に示す第１実施形態と同様の部分には同一の符号を付している。本実施形態は第１実施形態に対してフラップ１５の形状と突起部８ｃが設けられている点が異なっている。その他の部分は第１実施形態と同様である。
【００４０】
フラップ１５の下端面には段差により高さの異なる３つの係止部１５ａ、１５ｂ、１５ｃが左方から順に形成される。フラップ１５を折り返した状態で係止部１５ａよりも下方に係止部１５ｂが配され、係止部１５ｂよりも下方に係止部１５ｃが配される。これにより、最下端の係止部１５ｃは右端部に配される。
【００４１】
また、蓋部７には係止部１５ａ、１５ｂ、１５ｃにそれぞれ対応して３つの突起部８ａ、８ｂ、８ｃが設けられる。
【００４２】
本実施形態によると第１実施形態と同様の効果を奏することができる。また、３箇所の係止部１５ａ、１５ｂ、１５ｃ及び突起部８ａ、８ｂ、８ｃが設けられるため、クリック音が３回発生する。これにより、蓋部７を閉じたことをより確実に確認できる。
【００４３】
＜第３実施形態＞
図７は第３実施形態の包装箱１のブランク板１００を示す展開図である。説明の便宜上、前述の図１〜５に示す第１実施形態と同様の部分には同一の符号を付している。本実施形態は第１実施形態に対してフラップ１５の形状と突起部８ｃが設けられている点が異なっている。その他の部分は第１実施形態と同様である。
【００４４】
フラップ１５の下端面には段差により高さの異なる３つの係止部１５ａ、１５ｂ、１５ｃが左方から順に形成される。フラップ１５を折り返した状態で係止部１５ａよりも下方に係止部１５ｃが配され、係止部１５ｃよりも下方に係止部１５ｂが配される。これにより、最下端の係止部１５ｂは左右方向の中央部に配される。
【００４５】
また、蓋部７には係止部１５ａ、１５ｂ、１５ｃにそれぞれ対応して３つの突起部８ａ、８ｂ、８ｃが設けられる。
【００４６】
本実施形態によると第１実施形態と同様の効果を奏することができる。また、３箇所の係止部１５ａ、１５ｂ、１５ｃ及び突起部８ａ、８ｂ、８ｃが設けられるため、クリック音が３回発生する。これにより、蓋部７を閉じたことをより確実に確認できる。加えて、最下端の係止部１５ｂが左右方向の中央部に配されるため、蓋部７が閉じられると突起部８ｂが係止部１５ｂに係止する。このため、蓋部７の中央部を把持して蓋部７を開ける際、蓋部７が傾かずに開くことができ、包装箱１の利便性を向上できる。
【００４７】
第１〜第３実施形態において、係止部１５ａ、１５ｂ、１５ｃ及び突起部８ａ、８ｂ、８ｃが２箇所または３箇所に設けられるが、１箇所または４箇所以上に設けてもよい。
【産業上の利用可能性】
【００４８】
本発明によると、蓋部により開閉される包装箱に利用することができる。
【符号の説明】
【００４９】
１    包装箱
２、４  側面板
３    前面板
３ａ  凹部
５    背面板
６    底面部
７    蓋部
７ａ  上面部
７ｂ  前面部
７ｃ  下面部
７ｄ  背面部
８ａ、８ｂ、８ｃ    突起部
１０  胴部
１０ａ、１０ｂ  開口部
１５  フラップ
１５ａ、１５ｂ、１５ｃ  係止部
１６  接着剤保持部
５５  糊代片
６２、６４  底面フラップ
６３、６５  底面板
９０  折り線
９５  リード罫
１００  ブランク板
【図１】
0006716091.tif 000002
【図２】
0006716091.tif 000003
【図３】
0006716091.tif 000004
【図４】
0006716091.tif 000005
【図５】
0006716091.tif 000006
【図６】
0006716091.tif 000007
【図７】
0006716091.tif 000008